(57)【要約】【課題】使用者に不快な思いをさせず省電力でノズルの洗浄を行うことができる衛生洗浄装置を提供することを目的とする。【解決手段】吐水部から水を噴射して使用者の身体を洗浄するノズルと、水をノズルに導く流路と、水を加熱する熱交換器と、吐水部から水を噴射させ使用者の身体を洗浄する身体洗浄工程の後、ノズルを水で洗浄する後洗浄工程を実行する制御部と、を備え、制御部は、身体洗浄工程時の水の平均温度よりも後洗浄工程時の水の平均温度の方が低くなるよう熱交換器を制御することを特徴とする衛生洗浄装置が提供される。【選択図】図２
2015068087.tif 000002
【特許請求の範囲】
【請求項１】
吐水部を有し、前記吐水部から水を噴射して使用者の身体を洗浄するノズルと、
給水源から供給された水を前記ノズルに導く流路と、
前記給水源から供給される水を加熱する熱交換器と、
前記吐水部から水を噴射させ使用者の身体を洗浄する身体洗浄工程を実行した後に、前記ノズルを水で洗浄する後洗浄工程を実行する制御部と、
を備え、
前記制御部は、前記身体洗浄工程時に前記吐水部から噴射される水の平均温度よりも前記後洗浄工程時に前記ノズルを洗浄する水の平均温度の方が低くなるよう前記熱交換器の駆動を制御することを特徴とする衛生洗浄装置。
【請求項２】
前記制御部は、
前記後洗浄工程の実行中に再度前記身体洗浄工程に移行する際には、前記後洗浄工程の間で前記身体洗浄工程での水の平均温度と実質的に同じ温度にして前記身体洗浄工程に移行するよう前記熱交換器を制御することを特徴とする請求項１記載の衛生洗浄装置。
【請求項３】
前記制御部は、
前記後洗浄工程時に前記ノズルを洗浄する水の温度が時間の経過とともに徐々に低くなるよう前記熱交換器の駆動を制御することを特徴とする請求項１または２に記載の衛生洗浄装置。
【請求項４】
前記制御部は、
前記身体洗浄工程から前記後洗浄工程に移行後、所定時間は、前記後洗浄工程においても前記身体洗浄工程の水の平均温度を維持するよう前記熱交換器を制御することを特徴とする請求項１〜３のいずれか１つに記載の衛生洗浄装置。
【請求項５】
前記流路に設けられ、前記給水源から供給される水の温度を検知する水温検知手段をさらに備え、
前記制御部は、
前記後洗浄工程において、前記水温検知手段によって検知された温度が予め設定された設定温度よりも低い場合には、水の温度が前記設定温度に維持されるよう前記熱交換器の駆動を制御し、
前記後洗浄工程において、前記水温検知手段によって検知された温度が前記設定温度以上の場合には、前記熱交換器の駆動を停止する制御を行うことを特徴とする請求項１〜４のいずれか１つに記載の衛生洗浄装置。
【請求項６】
前記ノズルは、前記身体洗浄工程を実行する際に性状の異なる複数の噴射形態を噴射可能に構成され、
前記制御部は、
前記身体洗浄工程において前記噴射形態を変更する間に、前記後洗浄工程と同様な中間洗浄工程を、前記身体洗浄工程での水の平均温度と実質的に同じ温度にして実行することを特徴とする請求項１〜５のいずれか１つに記載の衛生洗浄装置。
【発明の詳細な説明】
【技術分野】
【０００１】
本発明の態様は、一般的に、衛生洗浄装置に関し、具体的には洋式腰掛便器に腰掛けた使用者の「おしり」などを水で洗浄する衛生洗浄装置に関する。
【背景技術】
【０００２】
衛生洗浄装置の普及率は高まり、最近では、衛生洗浄装置は公共施設においても利用されている。  
ここで、便座に座った使用者の「おしり」などの身体を洗浄するノズルは、そのノズルや温水タンクなどの所定の機能部品を取り付けるケーシングから少なくとも一部を外部に露出（進出）した状態で身体に洗浄水を噴射する。そのため、ノズルには汚水や汚物が付着するおそれがあるため、ノズルを清潔な状態を保つことが求められている。
【０００３】
衛生洗浄装置においては、ノズルから水を噴射して身体を洗浄する身体洗浄工程の前にノズルの洗浄を行う前洗浄工程と、身体洗浄工程（本洗浄工程）の後にノズルの洗浄を行う後洗浄工程と、を実行している。これにより、ノズルに付着した汚水や汚物を洗い流し、ノズルを清潔な状態に保つようにしている。
【０００４】
特許文献１においては、身体洗浄工程の後に、ノズルの外表面を温水で洗浄する後工程洗浄を実行する衛生洗浄装置が開示されている。特許文献１に記載の衛生洗浄装置では、温水タンクに貯水された温水をノズル洗浄管に供給してノズルの外表面を洗浄している。
【０００５】
しかしながら、特許文献１に記載の衛生洗浄装置においては、使用者に水（温水）が接する身体洗浄工程以外においても、身体洗浄工程のときと同じく温水タンクに貯められた水（温水）を用いている。このため、節電の観点からは改善の余地がある。
【先行技術文献】
【特許文献】
【０００６】
【特許文献１】実開昭６１−１５５４７８号公報
【発明の概要】
【発明が解決しようとする課題】
【０００７】
本発明は、かかる課題の認識に基づいてなされたものであり、使用者に不快な思いをさせず省電力でノズルの洗浄を行うことができる衛生洗浄装置を提供することを目的とする。
【課題を解決するための手段】
【０００８】
第１の発明は、吐水部を有し、前記吐水部から水を噴射して使用者の身体を洗浄するノズルと、給水源から供給された水を前記ノズルに導く流路と、前記給水源から供給される水を加熱する熱交換器と、前記吐水部から水を噴射させ使用者の身体を洗浄する身体洗浄工程を実行した後に、前記ノズルを水で洗浄する後洗浄工程を実行する制御部と、を備え、前記制御部は、前記身体洗浄工程時に前記吐水部から噴射される水の平均温度よりも前記後洗浄工程時に前記ノズルを洗浄する水の平均温度の方が低くなるよう前記熱交換器の駆動を制御することを特徴とする衛生洗浄装置である。
【０００９】
この衛生洗浄装置によれば、使用者の身体に水が触れない後洗浄工程の際の水の平均温度を、身体洗浄工程の際の水の平均温度よりも低くすることができる。これにより、後洗浄工程の際の水の平均温度が身体洗浄工程の際の水の平均温度と同じ場合に比べて熱交換器を駆動するための電力を削減することができる。したがって、使用者に不快な思いをさせることなく、省電力化に貢献することができるようになる。
【００１０】
また、第２の発明は、第１の発明において、前記制御部が、前記後洗浄工程の実行中に再度前記身体洗浄工程に移行する際には、前記後洗浄工程の間で前記身体洗浄工程での水の平均温度と実質的に同じ温度にして前記身体洗浄工程に移行するよう前記熱交換器を制御することを特徴とする衛生洗浄装置である。
【００１１】
この衛生洗浄装置によれば、身体洗浄工程の終了後に、再度身体洗浄工程を実行する場合であっても、低い温度の水を使用者に触れさせることがなくなる。これにより、使用者に不快な思いをさせることがなくなる。
【００１２】
また、第３の発明は、第１または第２の発明において、前記制御部が、前記後洗浄工程時に前記ノズルを洗浄する水の温度が時間の経過とともに徐々に低くなるよう前記熱交換器の駆動を制御することを特徴とする衛生洗浄装置である。
【００１３】
この衛生洗浄装置によれば、後洗浄工程の実行から早い段階で再度身体洗浄工程に移行する場合であっても、水の温度を短時間で身体洗浄工程での水の平均温度と実質的に等しい温度にすることができる。したがって、使用者が再度身体洗浄工程を実行したい場合に、使用者を待たせる時間を短くでき、使用者に不快な思いをさせることがなくなる。
【００１４】
また、第４の発明は、第１〜第３のいずれか１つの発明において、前記制御部が、前記身体洗浄工程から前記後洗浄工程に移行後、所定時間は、前記後洗浄工程においても前記身体洗浄工程の水の平均温度を維持するよう前記熱交換器を制御することを特徴とする衛生洗浄装置である。
【００１５】
この衛生洗浄装置によれば、後洗浄工程の実行中に再度身体洗浄工程に移行する場合であっても、後洗浄工程に移行後、所定時間内は身体洗浄工程と同じ水の温度であるため、すばやく身体洗浄工程に移行することができる。したがって、使用者を待たせる時間を短くすることができ、使用者に不快な思いをさせることがなくなる。
【００１６】
また、第５の発明は、第１〜４のいずれか１つの発明において、前記流路に設けられ、前記給水源から供給される水の温度を検知する水温検知手段をさらに備え、前記制御部が、前記後洗浄工程において、前記水温検知手段によって検知された温度が予め設定された設定温度よりも低い場合には、水の温度が前記設定温度に維持されるよう前記熱交換器の駆動を制御し、前記後洗浄工程において、前記水温検知手段によって検知された温度が前記設定温度以上の場合には、前記熱交換器の駆動を停止する制御を行うことを特徴とする衛生洗浄装置である。
【００１７】
この衛生洗浄装置によれば、例えば給水源から供給される水の温度が高い夏場などは、後洗浄工程において熱交換器の駆動を停止することができ、より省電力化を達成することができるようになる。
【００１８】
また、第６の発明は、第１〜第５の発明において、前記洗浄ノズルは、前記身体洗浄工程を実行する際に性状の異なる複数の噴射形態を噴射可能に構成され、前記制御部は、前記身体洗浄工程において前記噴射形態を変更する間に、前記後洗浄工程と同様な中間洗浄工程を、前記身体洗浄工程での水の平均温度と実質的に同じ温度にして実行することを特徴とする衛生洗浄装置である。
【００１９】
この衛生洗浄装置によれば、身体洗浄工程の実行中に噴射形態を変更する際にも、後洗浄工程と同様な中間洗浄工程が実行される。この中間洗浄工程において、水の平均温度が身体洗浄工程での水の平均温度と実質的に同じであるため、噴射形態を変更した後にすばやく噴射を開始することができる。したがって、ノズルを清潔に保ちながら使用者を待たせる時間を短くすることができるため、使用者に不快な思いをさせることがなくなる。
【発明の効果】
【００２０】
本発明の態様によれば、使用者に不快な思いをさせず省電力でノズルの洗浄を行うことができる衛生洗浄装置が提供される。
【図面の簡単な説明】
【００２１】
【図１】本発明の実施の形態にかかる衛生洗浄装置を備えたトイレ装置を表す斜視模式図である。
【図２】本実施形態にかかる衛生洗浄装置の要部構成を表すブロック図である。
【図３】本実施形態のノズルユニットの具体例を例示する斜視模式図である。
【図４】洗浄動作時の水の温度制御の例（その１）について示すタイミングチャートである。
【図５】洗浄動作時の水の温度制御の例（その２）について示すタイミングチャートである。
【図６】洗浄動作時の水の温度制御の例（その３）について示すタイミングチャートである。
【図７】洗浄動作時の水の温度制御の例（その４）について示すタイミングチャートである。
【図８】具体的な水温の推移を例示するタイミングチャートである。
【発明を実施するための形態】
【００２２】
以下、本発明の実施の形態について図面を参照しつつ説明する。なお、各図面中、同様の構成要素には同一の符号を付して詳細な説明は適宜省略する。  
図１は、本発明の実施の形態にかかる衛生洗浄装置を備えたトイレ装置を表す斜視模式図である。  
また、図２は、本実施形態にかかる衛生洗浄装置の要部構成を表すブロック図である。  なお、図２は、水路系と電気系の要部構成を併せて表している。
【００２３】
図１に表したトイレ装置は、洋式腰掛便器（以下説明の便宜上、単に「便器」と称する）８００と、その上に設けられた衛生洗浄装置１００と、を備える。衛生洗浄装置１００は、ケーシング４００と、便座２００と、便蓋３００と、を有する。便座２００と便蓋３００とは、ケーシング４００に対して開閉自在にそれぞれ軸支されている。
【００２４】
ケーシング４００の内部には、便座２００に座った使用者の「おしり」などの洗浄を実現する身体洗浄機能部などが内蔵されている。また、例えばケーシング４００には、使用者が便座２００に座ったことを検知する着座検知センサ４０４が設けられている。着座検知センサ４０４が便座２００に座った使用者を検知している場合において、使用者が例えばリモコンなどの操作部５００を操作すると、洗浄ノズル（以下説明の便宜上、単に「ノズル」と称する）４７３を便器８００のボウル８０１内に進出させることができる。なお、図１に表した衛生洗浄装置１００では、ノズル４７３がボウル８０１内に進出した状態を表している。
【００２５】
ノズル４７３の先端部には吐水部４７４ａが設けられる。吐水部４７４ａには、ひとつあるいは複数の吐水口４７４が設けられている。吐水部４７４ａは、吐水口４７４とその周辺とを含む。そして、ノズル４７３は、その先端部に設けられた吐水口４７４から水を噴射して、便座２００に座った使用者の「おしり」などを洗浄することができる。なお、本願明細書において「水」という場合には、冷水のみならず、加熱されたお湯も含むものとする。
【００２６】
より具体的に説明すると、本実施形態にかかる衛生洗浄装置１００は、図２に表したように、水道や貯水タンクなどの給水源１０から供給された水をノズル４７３の吐水口４７４に導く流路２０を有する。流路２０の上流側には、電磁弁（給水制御部）４３１が設けられている。電磁弁４３１は、開閉可能な電磁バルブであり、ケーシング４００の内部に設けられた制御部４０５からの指令に基づいて水の供給を制御する。
【００２７】
電磁弁４３１の下流には、熱交換器ユニット４４０が設けられている。熱交換器ユニット４４０は、温水ヒータ４４１を有する。温水ヒータ４４１は、供給された水を加熱し、所定の温水にする。なお、温水温度については、例えば、使用者が操作部５００を操作することにより設定することができる。
【００２８】
給水源１０と熱交換器ユニット４４０の温水ヒータ４４１との間の流路２０には、給水源１０から供給される水の温度を検知する水温センサ４２０が設けられる。
【００２９】
温水ヒータ４４１の下流には、殺菌水を生成可能な電解槽ユニット（殺菌水生成部）４５０が設けられている。使用者が操作部５００に設けられた殺菌スイッチ５１０を押すと、制御部４０５は、電解槽ユニット４５０に殺菌水を生成させる制御を実行する。殺菌水としては、次亜塩素酸を含む液である。電解槽ユニット４５０において生成された殺菌水は、ノズル４７３の吐水口４７４から噴射されたり、あるいはノズル４７３の吐水部４７４ａや外周表面（胴体）へ向かって噴射される。これにより、電解槽ユニット４５０よりも下流側の流路２０および後述する分岐路（バイパス流路）２２や、ノズル４７３の吐水部４７４ａおよび外周表面は、殺菌水により殺菌される。すなわち、殺菌スイッチ５１０には、ノズル４７３の殺菌動作の指示が入力される。そして、使用者は、殺菌スイッチ５１０を押してノズル４７３の殺菌を指示することにより、使用者の意思でノズル４７３の殺菌を行うことができる。
【００３０】
電解槽ユニット４５０の下流には、水勢（流量）の調整を行う流量切替弁４７１と、ノズル４７３やノズル洗浄室４７８への給水の開閉や切替を行う流路切替弁４７２と、が設けられている。なお、流量切替弁４７１および流路切替弁４７２は、１つのユニットとして設けられていてもよい。
【００３１】
続いて、流量切替弁４７１および流路切替弁４７２の下流には、ノズル４７３が設けられている。ノズル４７３は、ノズルモータ４７６からの駆動力を受け、便器８００のボウル８０１内に進出したり後退することができる。つまり、ノズルモータ４７６は、制御部４０５からの指令に基づいてノズル４７３を進退させることができる。一方、ノズル洗浄室４７８は、その内部に設けられた吐水部４７９（図３参照）から殺菌水あるいは水を噴射することにより、ノズル４７３の外周表面を殺菌あるいは洗浄することができる。
【００３２】
ここで、流路切替弁４７２の下流には、流路切替弁４７２とノズル洗浄室４７８とを接続する分岐路２２が設けられている。つまり、分岐路２２は、流路２０から分岐している。分岐路２２は、給水源１０から供給される水や、電解槽ユニット４５０において生成される殺菌水をノズル洗浄室４７８に導くことができる。すなわち、制御部４０５は、流路切替弁４７２を制御することにより、流路２０を通してノズル４７３の吐水口４７４に水や殺菌水を導いたり、分岐路２２を通してノズル洗浄室４７８の吐水部４７９に水や殺菌水を導くことができる。そして、分岐路２２を通してノズル洗浄室４７８の吐水部４７９に導かれた水や殺菌水は、ノズル４７３の吐水部４７４ａや外周表面へ向かって噴射される。
【００３３】
制御部４０５は、電源回路４０１から電力を供給され、トイレ室への使用者の入室を検知する入室検知センサ４０２や、便座２００の前方にいる使用者を検知する人体検知センサ４０３や、便座２００への使用者の着座を検知する着座検知センサ４０４や、操作部５００などからの信号に基づいて、電磁弁４３１や、温水ヒータ４４１や、電解槽ユニット４５０や、流量切替弁４７１や、流路切替弁４７２や、ノズルモータ４７６の動作を制御することができる。
【００３４】
着座検知センサ４０４は、使用者が便座２００に着座する直前において便座２００の上方に存在する人体や、便座２００に着座した使用者を検知することができる。すなわち、着座検知センサ４０４は、便座２００に着座した使用者だけではなく、便座２００の上方に存在する使用者を検知することができる。このような着座検知センサ４０４としては、例えば、赤外線投受光式の測距センサなどを用いることができる。
【００３５】
また、人体検知センサ４０３は、便器８００の前方にいる使用者、すなわち便座２００から前方へ離間した位置に存在する使用者を検知することができる。つまり、人体検知センサ４０３は、トイレ室に入り便座２００に近づいてきた使用者を検知することができる。このような人体検知センサ４０３としては、例えば、赤外線投受光式の測距センサなどを用いることができる。
【００３６】
また、入室検知センサ４０２は、トイレ室のドアを開けて入室した直後の使用者や、入室しようとしてドアの前に存在する使用者を検知することができる。つまり、入室検知センサ４０２は、トイレ室に入った使用者だけではなく、トイレ室に入る前の使用者、すなわちトイレ室の外側のドアの前に存在する使用者を検知することができる。このような入室検知センサ４０２としては、焦電センサや、ドップラーセンサなどのマイクロ波センサなどを用いることができる。マイクロ波のドップラー効果を利用したセンサや、マイクロ波を送信し反射したマイクロ波の振幅（強度）に基づいて被検知体を検出するセンサなどを用いた場合、トイレ室のドア越しに使用者の存在を検知することが可能となる。つまり、トイレ室に入る使用者を検知することができる。
【００３７】
図１に表したトイレ装置では、ケーシング４００の上面に凹設部４０９が形成され、この凹設部４０９に一部が埋め込まれるように入室検知センサ４０２が設けられている。入室検知センサ４０２は、便蓋３００が閉じた状態では、その基部付近に設けられた透過窓３１０を介して使用者の入室を検知する。そして、例えば、入室検知センサ４０２が使用者を検知すると、制御部４０５は、入室検知センサ４０２の検知結果に基づいて便蓋３００を自動的に開く制御を実行することができる。また、着座検知センサ４０４および人体検知センサ４０３は、ケーシング４００の前方の中央部に設けられている。但し、着座検知センサ４０４、人体検知センサ４０３、および入室検知センサ４０２の設置形態は、これだけに限定されるわけではなく、適宜変更することができる。
【００３８】
また、ケーシング４００には、便座２００に座った使用者の「おしり」などに向けて温風を吹き付けて乾燥させる「温風乾燥機能」や「脱臭ユニット」や「室内暖房ユニット」などの各種の機構が適宜設けられていてもよい。この際、ケーシング４００の側面には、脱臭ユニットからの排気口４０７および室内暖房ユニットからの排出口４０８が適宜設けられる。ただし、本発明においては、衛生洗浄機能部やその他の付加機能部は必ずしも設けなくてもよい。
【００３９】
図３は、本実施形態のノズルユニットの具体例を例示する斜視模式図である。  
本実施形態のノズルユニット４７０は、図３に表したように、基台としての取付台４７５と、取付台４７５に支持されたノズル４７３と、ノズル４７３を移動させるノズルモータ４７６と、を有する。ノズル４７３は、図３に表した矢印Ａのように、ベルトなどの伝動部材４７７を介してノズルモータ４７６から伝達される駆動力により、取付台４７５に対して摺動自在に設けられている。すなわち、ノズル４７３は、ノズル４７３自身の軸方向（進退方向）に直進移動することができる。そして、ノズル４７３は、ケーシング４００および取付台４７５から進退自在に移動できる。
【００４０】
また、本実施形態のノズルユニット４７０には、ノズル洗浄室４７８が設けられている。ノズル洗浄室４７８は、取付台４７５に対して固定され、その内部に設けられた吐水部４７９から殺菌水あるいは水を噴射することにより、ノズル４７３の外周表面を殺菌あるいは洗浄することができる。
【００４１】
すなわち、制御部４０５が電解槽ユニット４５０の陽極板および陰極板に通電することにより殺菌水を生成させる場合には、ノズル４７３の胴体は、吐水部４７９から噴射される殺菌水により殺菌される。一方で、制御部４０５が電解槽ユニット４５０の陽極板および陰極板に通電しない場合には、ノズル４７３の胴体は、吐水部４７９から噴射される水により物理的に洗浄される。
【００４２】
より具体的には、ノズル４７３がケーシング４００に収納された状態において、ノズル４７３の吐水部４７４ａはノズル洗浄室４７８の中にほぼ収容されている。そのため、ノズル洗浄室４７８は、その内部に設けられた吐水部４７９から殺菌水あるいは水を噴射することにより、収納された状態のノズル４７３の吐水部４７４ａを殺菌あるいは洗浄することができる。また、ノズル洗浄室４７８は、ノズル４７３の進退時において吐水部４７９から水あるいは殺菌水を噴射することにより、吐水部４７４ａだけではなく他の部分の外周表面を殺菌あるいは洗浄することができる。
【００４３】
また、本実施形態のノズル４７３は、ノズル４７３がケーシング４００に収納された状態において、ノズル４７３自身が有する吐水口４７４から殺菌水あるいは水を吐水することにより吐水部４７４ａを殺菌あるいは洗浄することができる。さらに、ノズル４７３がケーシング４００に収納された状態では、ノズル４７３の吐水部４７４ａはノズル洗浄室４７８の中にほぼ収容されているため、ノズル４７３の吐水口４７４から吐水された殺菌水あるいは水は、ノズル洗浄室４７８の内壁により反射して吐水部４７４ａにかかる。そのため、ノズル４７３の吐水部４７４ａは、ノズル洗浄室４７８の内壁で反射した殺菌水あるいは水によっても殺菌あるいは洗浄される。
【００４４】
次に、本実施形態にかかる衛生洗浄装置の動作について説明する。
まず、着座検知センサ４０４が便座２００に着座した使用者を検知すると、制御部４０５は、流路切替弁４７２の位置を「原点」から「ＳＣ（セルフクリーニング）」に切り替え、流路２０を介して全ての吐水口４７４からの吐水を可能とする。
【００４５】
続いて、流路切替弁４７２の切り替えが完了すると、制御部４０５は、電磁弁４３１を開き、温水ヒータ４４１を「捨水モード」に設定する。これにより、流路２０内の水（例えば、冷水）が排水され、温水の準備が行われる（捨水工程）。そして、制御部４０５は、温水ヒータ４４１を「捨水モード」から「保温制御モード」に設定変更した後に、流路切替弁４７２を「原点」に戻し、電磁弁４３１を閉じる。
【００４６】
続いて、使用者が操作部５００に設けられた図示しない「おしり洗浄スイッチ」を押すと、「前洗浄工程」を実行し、続いて「本洗浄工程」を実行する。
【００４７】
「前洗浄工程」では、ノズル４７４の吐水部４７４ａの洗浄である「吐水口洗浄」と、外周表面の洗浄である「胴体洗浄」と、を行う。先ず、「吐水口洗浄」として、制御部４０５は、流路切替弁４７２の位置を「原点」から「ＳＣ」に切り替え、電磁弁４３１を開き、温水ヒータ４４１を「前洗浄モード」に設定する。そして、ノズル４７３がケーシング４００に収納された状態で、ノズル４７３自身が有する吐水口４７４から水を吐水する。これにより、ノズル４７３の吐水部４７４ａを洗浄することができる。
【００４８】
次に、「胴体洗浄」として、制御部４０５は、流路切替弁４７２の位置を「ＳＣ」から「バイパス」に切り替え、分岐路２２を介してノズル洗浄室４７８に設けられた吐水部４７９から水を噴射可能とする。続いて、制御部４０５は、ケーシング４００に収納されていたノズル４７３を「おしり洗浄」の位置まで進出させる。このとき、制御部４０５は、電磁弁４３１を開いているため、ノズル４７３の胴体は、吐水部４７９から噴射される水により洗浄される。
【００４９】
「本洗浄工程」は、使用者のおしりなどを洗浄する工程である。制御部４０５は、流路切替弁４７２の位置を「バイパス」から例えば「おしり水勢５」に切り替え、温水ヒータ４４１を「本洗浄モード」に設定する。本洗浄工程（おしり洗浄）を開始する。なお、例えば、使用者が「おしり洗浄」における水勢を「水勢５」から「水勢３」に操作部５００により設定変更した場合には、制御部４０５は、流量切替弁４７１を「おしり水勢５」から「おしり水勢３」に切り替える。そして、制御部４０５は、「水勢３」において本洗浄を継続する。
【００５０】
使用者が操作部５００により図示しない「止スイッチ」を押すと、「後洗浄工程」を実行する。「後洗浄工程」では、ノズル４７３の外周表面の洗浄である「胴体洗浄」と、吐水部４７４ａの洗浄である「吐水口洗浄」と、を行う。
【００５１】
先ず、「胴体洗浄」として、制御部４０５は、流路切替弁４７２の位置を「おしり水勢３」から「バイパス」に切り替え、分岐路２２を介してノズル洗浄室４７８に設けられた吐水部４７９から水を噴射可能とする。そして、制御部４０５は、温水ヒータ４４１を「後洗浄モード」に設定する。また、制御部４０５は、圧力変調装置４６０を「ＯＦＦ」に設定する。また、制御部４０５は、電解槽ユニット４５０への通電を開始し、殺菌水の生成を開始する。続いて、制御部４０５は、「おしり洗浄」の位置に進出していたノズル４７３をケーシング４００に収納する。これにより、ノズル４７３の胴体は、吐水部４７９から噴射される殺菌水により殺菌される。
【００５２】
続いて、「吐水口洗浄」として、ノズル４７３がケーシング４００に収納された状態において、制御部４０５は、流路切替弁４７２の位置を「バイパス」から「ＳＣ」に切り替え、流路２０を介して全ての吐水口４７４からの吐水を可能とする。
【００５３】
続いて、流路切替弁４７２の切り替えが完了すると、制御部４０５は、圧力変調装置４６０を「後洗浄」に設定する。つまり、制御部４０５は、圧力変調装置４６０の駆動を開始する。これにより、ノズル４７３の吐水部４７４ａの洗浄が行われる。
【００５４】
続いて、制御部４０５は、電解槽ユニット４５０への通電を停止し、殺菌水の生成を終了する。続いて、制御部４０５は、圧力変調装置４６０を「後洗浄」から「ＯＦＦ」へ設定変更する。続いて、制御部４０５は、電磁弁４３１を閉じる。
【００５５】
なお、上記の動作の例においては、「前洗浄工程」において吐水部４７４ａや吐水部４７９から水を噴射して洗浄を行っているが、吐水部４７４ａや吐水部４７９から殺菌水を噴射して殺菌を行ってもよい。この際、「吐水口洗浄」を行う場合および「胴体洗浄」を行う場合の少なくとも一方で殺菌水を噴射するようにしてもよい。
【００５６】
また、上記の動作の例においては、「後洗浄工程」において吐水部４７４ａや吐水部４７９から殺菌水を噴射して殺菌を行っているが、吐水部４７４ａや吐水部４７９から水を噴射して洗浄を行ってもよい。この際、「胴体洗浄」を行う場合および「吐水口洗浄」を行う場合の少なくとも一方で水を噴射するようにしてもよい。
【００５７】
次に、洗浄動作時の水の温度の制御について説明する。
なお、以下の説明においては、洗浄動作時の水の温度の制御について説明するが、洗浄動作時に用いられる殺菌水の温度の制御であっても同様である。
【００５８】
図４は、洗浄動作時の水の温度制御の例（その１）について示すタイミングチャートである。
図４横軸は洗浄動作の時系列を表し、縦軸は水の温度を表す。図４には、「本洗浄工程」から「後洗浄工程」にかけての水の温度制御の例として、第１制御例ＨＣ１、第２制御例ＨＣ２および比較例ＨＣ０が模式的に表される。
【００５９】
図４に表したように、第１制御例ＨＣ１、第２制御例ＨＣ２および比較例ＨＣ０のいずれにおいても、「本洗浄工程」の際の水の温度は、予め設定された温度Ｔａに制御される。すなわち、制御部４０５は、熱交換器ユニット４４０の温水ヒータ４４１を「本洗浄モード」に設定する。これにより、「本洗浄工程」の間、水の温度は温度Ｔａになるように制御される。
【００６０】
なお、以下の説明において、水の温度とは、水の平均温度のことを言う。平均温度は、所定時間内にサンプリングした温度を平均したものである。平均温度を算出する所定時間は、水の温度がある程度安定した状態における所定時間である。例えば、「本洗浄工程」のように、比較的長い時間を要する工程では、ある水温になるように制御を行う際、制御開始から２０秒後から３０秒後までの１０秒間でサンプリングした温度の平均を平均温度とする。また、例えば、「後洗浄工程」のように、比較的短い時間で済む工程では、その工程の開始から終了までの時間内でサンプリングした温度の平均を平均温度とする。
【００６１】
次に、使用者が操作部５００により図示しない「止スイッチ」を押して「本洗浄工程」が終了すると、制御部４０５は「後洗浄工程」を実行する。先に説明したように、「後工程洗浄」では、「胴体洗浄」を行った後、「吐水口洗浄」を行う。
【００６２】
制御部４０５は、「後洗浄工程」を開始すると、温水ヒータ４４１を「後洗浄モード」に設定する。ここで、比較例ＨＣ０においては、水の温度は「本洗浄工程」と同じ温度Ｔａのまま維持される。一方、第１制御例ＨＣ１および第２制御例ＨＣ２においては、水の温度は「本洗浄工程」での温度Ｔａよりも低い温度Ｔｂに制御される。
【００６３】
すなわち、第１制御例ＨＣ１においては、制御部４０５は、「後洗浄工程」の開始とともに温水ヒータ４４１を例えばオフにして、「胴体洗浄」を行っている間に水の温度を温度Ｔｂに設定する。また、第２制御例ＨＣ２においては、制御部４０５は、「後洗浄工程」の開始とともに温水ヒータ４４１への通電量をゆっくりと減少させ、「胴体洗浄」から「吐水口洗浄」にかけて徐々に水の温度を温度Ｔｂまで下げていく。
【００６４】
「後洗浄工程」において、ノズル４７３から噴射される水は使用者の身体には接しない。したがって、「後洗浄工程」における水の温度を「本洗浄工程」における水の温度Ｔａよりも低くしても、使用者に不快な思いをさせることはない。「後洗浄工程」における水の温度を「本洗浄工程」における水の温度Ｔａよりも低くすることで、比較例ＨＣ０に比べて熱交換器ユニット４４０である温水ヒータ４４１を駆動するための電力を削減することができ、省電力化に貢献することができるようになる。なお、「後洗浄工程」で殺菌水を用いる場合、温度が低くても十分な殺菌効果を得ることができる。
【００６５】
図５は、洗浄動作時の水の温度制御の例（その２）について示すタイミングチャートである。
図５の横軸は洗浄動作の時系列を表し、縦軸は水の温度を表す。図５には、「本洗浄工程」から「後洗浄工程」にかけての水の温度制御の例として、第３制御例ＨＣ３および比較例ＨＣ０が模式的に表される。
【００６６】
図５に表したように、第３制御例ＨＣ３および比較例ＨＣ０のいずれにおいても、「本洗浄工程」の際の水の温度は、予め設定された温度Ｔａに制御される。すなわち、制御部４０５は、熱交換器ユニット４４０の温水ヒータ４４１を「本洗浄モード」に設定する。これにより、「本洗浄工程」の間、水の温度は温度Ｔａになるように制御される。
【００６７】
次に、使用者が操作部５００により図示しない「止スイッチ」を押して「本洗浄工程」が終了すると、制御部４０５は「後洗浄工程」を実行する。制御部４０５は、「後洗浄工程」を開始すると、温水ヒータ４４１を「後洗浄モード」に設定する。ここで、比較例ＨＣ０においては、水の温度は「本洗浄工程」と同じ温度Ｔａのまま維持される。一方、第３制御例ＨＣ３においては、水の温度は「本洗浄工程」での温度Ｔａよりも低い温度Ｔｂに制御される。
【００６８】
ここで、「後洗浄工程」を開始した後、使用者が操作部５００に設けられた図示しない「おしり洗浄スイッチ」を再度押した場合（図中矢印Ｂ）、制御部４０５は、「後洗浄工程」を中断し、水の温度を上昇させる制御を行う。
【００６９】
すなわち、第３制御例ＨＣ３において、制御部４０５は、操作部５００から「おしり洗浄スイッチ」が押された旨の信号を受けた後、熱交換器ユニット４４０の温水ヒータ４４１を「本洗浄モード」に設定する。これにより、一旦低下した水の温度は上昇し始める。そして、水の温度が予め設定された温度Ｔａと実質的に同じ温度まで到達した後、制御部４０５は、「本洗浄工程」を実行する。なお、以下の説明において、実質的に同じ温度とは、２つの温度が全く同じ場合のほか、制御上の誤差の範囲内である場合を含む。
【００７０】
このような水の温度制御によって、「本洗浄工程」の終了後に、再度「本洗浄工程」を実行する場合であっても、低い温度の水が使用者に接することがなく、使用者に不快な思いをさせることがなくなる。
【００７１】
図６は、洗浄動作時の水の温度制御の例（その３）について示すタイミングチャートである。
図６の横軸は洗浄動作の時系列を表し、縦軸は水の温度を表す。図６には、「本洗浄工程」から「後洗浄工程」にかけての水の温度制御の例として、第４制御例ＨＣ４および比較例ＨＣ０が模式的に表される。
【００７２】
図６に表したように、第４制御例ＨＣ４および比較例ＨＣ０のいずれにおいても、「本洗浄工程」の際の水の温度は、予め設定された温度Ｔａに制御される。すなわち、制御部４０５は、熱交換器ユニット４４０の温水ヒータ４４１を「本洗浄モード」に設定する。これにより、「本洗浄工程」の間、水の温度は温度Ｔａになるように制御される。
【００７３】
次に、使用者が操作部５００により図示しない「止スイッチ」を押して「本洗浄工程」が終了すると、制御部４０５は「後洗浄工程」を実行する。制御部４０５は、「後洗浄工程」を開始すると、一定の時間Δｔにおいては水の温度を温度Ｔａに維持する。そして、制御部４０５は、時間Δｔを経過した後、温水ヒータ４４１を「後洗浄モード」に設定する。比較例ＨＣ０においては、水の温度は「本洗浄工程」と同じ温度Ｔａのまま維持される。一方、第４制御例ＨＣ４においては、水の温度は「本洗浄工程」での温度Ｔａよりも低い温度Ｔｂに制御される。
【００７４】
第４制御例ＨＣ４においては、「本洗浄工程」から「後洗浄工程」に移行した段階から一定の時間Δｔは水の温度が温度Ｔａに維持されるため、「後洗浄工程」を実行している間に再度「おしり洗浄スイッチ」が押させた場合であっても、すばやく「本洗浄工程」へ移行することができる。これにより、使用者に不快な思いをさせることがなくなる。なお、「後洗浄工程」で殺菌水を用いる場合、温度が低くても十分な殺菌効果を得ることができる。
【００７５】
図７は、洗浄動作時の水の温度制御の例（その４）について示すタイミングチャートである。
図７の横軸は洗浄動作の時系列を表し、縦軸は水の温度を表す。図７には、「本洗浄工程」から「後洗浄工程」にかけての水の温度制御の例として、第５制御例ＨＣ５が模式的に表される。
【００７６】
図７に表した「本洗浄工程」では、性状の異なる複数の噴射形態が選択される。性状の異なる複数の噴射形態としては、例えば、「おしり洗浄」、「やわらか洗浄」および「ビデ洗浄」である。例えば、ノズル４７３には、噴射形態に応じて複数の吐水口４７４が設けられる。所望の噴射形態を選択した場合には、選択した噴射形態に対応した吐水口４７４から水が噴射することになる。
【００７７】
第５制御例ＨＣ５においては、「本洗浄工程」において「第１の噴射形態」による身体の洗浄を行っている間、制御部４０５は、熱交換器ユニット４４０の温水ヒータ４４１を「本洗浄モード」に設定する。これにより、「第１の噴射形態」による洗浄の間、水の温度は温度Ｔａになるように制御される。
【００７８】
ここで、使用者が操作部５００により図示しないボタン等の選択によって「第１の噴射形態」から「第２の噴射形態」に切り替えた場合、制御部４０５は、「中間洗浄工程」を実行する。「中間洗浄工程」は、「後洗浄工程」と同様な洗浄処理を有する。すなわち、「中間洗浄工程」は、「胴体洗浄」と「吐水口洗浄」とを含む。
【００７９】
制御部４０５は、「中間洗浄工程」を実行している間、温水ヒータ４４１を「中間洗浄モード」に設定する。第５制御例ＨＣ５において、「中間洗浄モード」では、水の温度は「本洗浄工程」での温度Ｔａと実質的に同じである。
【００８０】
制御部４０５は、「中間洗浄工程」が終了した後、「本洗浄工程」として「第２の噴射形態」による洗浄を実行する。「第２の噴射形態」による身体の洗浄を行っている間、制御部４０５は、熱交換器ユニット４４０の温水ヒータ４４１を「本洗浄モード」に設定する。これにより、「第２の噴射形態」による洗浄の間、水の温度は温度Ｔａになるように制御される。
【００８１】
次に、使用者が操作部５００により図示しない「止スイッチ」を押して「本洗浄工程」が終了すると、制御部４０５は「後洗浄工程」を実行する。制御部４０５は、「後洗浄工程」を開始すると、熱交換器ユニット４４０の温水ヒータ４４１を「後洗浄モード」に設定する。これにより、水の温度は「本洗浄工程」での温度Ｔａよりも低い温度Ｔｂに制御される。
【００８２】
第５制御例ＨＣ５においては、「本洗浄工程」の実行中に噴射形態を変更する際にも、「後洗浄工程」と同様な「中間洗浄工程」が実行され、噴射形態の切り替えの間にノズル４７３を洗浄することができるようになる。また、この「中間洗浄工程」において、水の温度が「本洗浄工程」での水の温度Ｔａと実質的に同じであるため、噴射形態を変更した後にすばやく噴射を開始することができる。したがって、ノズル４７３を清潔に保ちながら使用者を待たせる時間を短くすることができるため、使用者に不快な思いをさせることがなくなる。なお、「後洗浄工程」で殺菌水を用いる場合、温度が低くても十分な殺菌効果を得ることができる。
【００８３】
本実施形態に係る衛生洗浄装置１００においては、上記説明した第１〜第５制御例ＨＣ１〜ＨＣ５を技術的に可能な限りにおいて組み合わせてもよい。
【００８４】
また、衛生洗浄装置１００において、制御部４０５は、水温センサ４２０によって検知された給水源１０から供給される水の温度に基づき設定温度を制御するようにしてもよい。例えば、「後洗浄工程」において、水温センサ４２０によって検知された水の温度が予め設定された設定温度（例えば、１５℃）よりも低い場合には、水の温度が設定温度に維持されるよう熱交換器ユニット４４０の温水ヒータ４４１の駆動を制御する。また、「後洗浄工程」において、水温センサ４２０によって検知された水の温度が前記設定温度以上の場合には、温水ヒータ４４１の駆動を停止するように制御する。
【００８５】
このような水温制御によれば、例えば給水源１０から供給される水の温度が高い夏場などは、「後洗浄工程」において温水ヒータ４４１の駆動を停止することができ、より電力を削減できるようになる。
【００８６】
図８は、具体的な水温の推移を例示するタイミングチャートである。
図８の横軸は洗浄動作の時系列を表し、縦軸は水の温度を表す。図８には、着座前から後洗浄工程後までの水の温度制御の例として、具体例ＨＣ１０が模式的に表される。
【００８７】
図８に表したように、着座前の水の温度は、例えば１６℃〜１７℃前後である。その後、着座検知センサ４０４が便座２００に着座した使用者を検知すると（着座検知：タイミングｔ１）、制御部４０５は、電磁弁４３１を開き、温水ヒータ４４１を「捨水モード」に設定する。これにより、「捨水工程」が実行され、水の温度は、例えば１６℃〜１７℃前後から約３７℃まで上昇する。
【００８８】
そして、制御部４０５は、タイミングｔ２において、温水ヒータ４４１を「捨水モード」から「保温制御モード」に設定変更し、タイミングｔ３において、流路切替弁４７２を「原点」に戻し、電磁弁４３１を閉じる。これにより、「捨水工程」が終了するとともに、水の温度は約３７℃から徐々に低下し、例えば２５℃前後で維持される。
【００８９】
続いて、使用者が操作部５００に設けられた図示しない「おしり洗浄スイッチ」を押したタイミングｔ４から、「前洗浄工程」を実行する。「前洗浄工程」では、先ず、タイミングｔ４から「吐水口洗浄」を実行する。「吐水口洗浄」の開始とともに、制御部４０５は、流路切替弁４７２の位置を「原点」から「ＳＣ」に切り替え、電磁弁４３１を開き、温水ヒータ４４１を「前洗浄モード」に設定する。これにより、「吐水口洗浄」が実行され、水の温度は約３６℃まで上昇する。
【００９０】
次に、制御部４０５は、タイミングｔ５から「胴体洗浄」を実行する。制御部４０５は、流路切替弁４７２の位置を「ＳＣ」から「バイパス」に切り替え、分岐路２２を介してノズル洗浄室４７８に設けられた吐水部４７９から水を噴射可能とする。続いて、制御部４０５は、ケーシング４００に収納されていたノズル４７３を「おしり洗浄」の位置まで進出させる。このとき、制御部４０５は、電磁弁４３１を開いているため、ノズル４７３の胴体は、吐水部４７９から噴射される水により洗浄される。
【００９１】
「胴体洗浄」においては、先の「吐水口洗浄」において水の温度が高められているため、制御部４０５は、温水ヒータ４４１への通電をオフまたは少なくしてもよい。これにより、電力の削減が達成される。具体例ＨＣ１０においては、「胴体洗浄」において水の温度は約３６℃から約３２℃まで低下する。
【００９２】
次に、制御部４０５は、タイミングｔ６から「本洗浄工程」を実行する。制御部４０５は、流路切替弁４７２の位置を「バイパス」から例えば「おしり水勢５」に切り替え、温水ヒータ４４１を「本洗浄モード」に設定する。「本洗浄工程」において、水の温度は、使用者に冷たさを感じさせない温度に制御される。具体例ＨＣ１０においては、例えば３７℃〜３８℃前後に制御される。
【００９３】
続いて、使用者が操作部５００により図示しない「止スイッチ」を押したタイミングｔ７から、制御部４０５は「後洗浄工程」を実行する。「後洗浄工程」では、先ず、タイミングｔ７から「胴体洗浄」を実行する。
【００９４】
すなわち、制御部４０５は、流路切替弁４７２の位置を「バイパス」に切り替え、分岐路２２を介してノズル洗浄室４７８に設けられた吐水部４７９から水を噴射可能とする。そして、制御部４０５は、温水ヒータ４４１を「後洗浄モード」に設定する。これにより、水の温度は、「本洗浄工程」での温度よりも低い温度に制御される。具体例ＨＣ１０においては、例えば３７℃〜３８℃前後から３５℃前後まで低下する。
【００９５】
また、制御部４０５は、圧力変調装置４６０を「ＯＦＦ」に設定する。また、制御部４０５は、電解槽ユニット４５０への通電を開始し、殺菌水の生成を開始する。続いて、制御部４０５は、「おしり洗浄」の位置に進出していたノズル４７３をケーシング４００に収納する。これにより、ノズル４７３の胴体は、吐水部４７９から噴射される殺菌水により殺菌される。
【００９６】
続いて、制御部４０５は、タイミングｔ８から「吐水口洗浄」を実行する。「吐水口洗浄」として、ノズル４７３がケーシング４００に収納された状態において、制御部４０５は、流路切替弁４７２の位置を「バイパス」から「ＳＣ」に切り替え、流路２０を介して全ての吐水口４７４からの吐水を可能とする。
【００９７】
続いて、流路切替弁４７２の切り替えが完了すると、制御部４０５は、圧力変調装置４６０を「後洗浄」に設定する。つまり、制御部４０５は、圧力変調装置４６０の駆動を開始する。これにより、ノズル４７３の吐水部４７４ａの洗浄が行われる。この際、制御部４０５は、温水ヒータ４４１を制御して水の温度を調整する。「吐水口洗浄」での水の温度は、「本洗浄工程」での水の温度よりも低くなる。
【００９８】
そして、「吐水口洗浄」はタイミングｔ９まで実行される。「後洗浄工程」が終了した後は、待機モードへ移行する。待機モードでは、制御部４０５は、温水ヒータ４４１への通電を停止または少なくする。これにより、水の温度は徐々に低下していく。
【００９９】
本実施形態に係る衛生洗浄装置１００では、「後洗浄工程」での水の温度を、「本洗浄工程」での水の温度よりも低くすることで、「後洗浄工程」での電力の削減を達成することができる。なお、「後洗浄工程」が「胴体洗浄」および「吐水口洗浄」を含む場合には、「胴体洗浄」および「吐水口洗浄」の少なくとも一方において水の温度を「本洗浄工程」よりも低くすればよい。
【０１００】
このような本実施形態に係る衛生洗浄装置１００の水の温度制御によれば、「本洗浄工程」と「後洗浄工程」とで水の温度を同じにする場合に比べて約１５％〜２０％の節電効果を得ることができる。
【０１０１】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、衛生洗浄装置１００などが備える各要素の形状、寸法、材質、配置などや殺菌スイッチ５１０の設置形態などは、例示したものに限定されるわけではなく適宜変更することができる。  
【０１０２】
また、本発明の実施の形態では、殺菌水が次亜塩素酸を含む液である場合を例に挙げて説明したが、殺菌水は、これだけに限定されるわけではない。電解槽ユニット４５０において生成される殺菌水は、銀イオンや銅イオンなどの金属イオンを含む液であってもよい。あるいは、電解槽ユニット４５０において生成される殺菌水は、電解塩素やオゾンなどを含む液であってもよい。あるいは、電解槽ユニット４５０において生成される殺菌水は、酸性水やアルカリ水であってもよい。あるいは、殺菌水生成部は、電解槽に限定されるわけではない。すなわち、殺菌水は、殺菌剤および殺菌液を水に溶解させることによって生成される殺菌水であってもよい。  
また、本発明の実施の形態では、「吐水口洗浄」は、ノズル４７３の吐水口４７４から吐水された殺菌水あるいは水を、ノズル洗浄室４７８の内壁により反射してノズル４７３の吐水部４７４ａにかかる場合を例に挙げて説明したが、これだけに限定されない。例えば、ノズル４７３の吐水口４７４から勢いの弱い殺菌水あるいは水を噴射し、流下させてノズル４７３の吐水部４７４ａを洗浄するようにしてもよい。
【０１０３】
また、本発明の実施の形態では、「後洗浄工程」において、「胴体洗浄」の後に「吐水口洗浄」を実施しているが、これだけに限定されない。例えば、「吐水口洗浄」の後に「胴体洗浄」を実施するようにしてもよい。
また、本発明の実施の形態では、「後洗浄工程」において「胴体洗浄」及び「吐水口洗浄」の両方を行う例を挙げて説明したが、これだけに限定されない。例えば、「後洗浄工程」において「胴体洗浄」及び「吐水口洗浄」のいずれか一方を行う構成であってもよい。「吐水口洗浄」のみを行う構成では、ノズル洗浄室４７８及び吐水部４７９のうち少なくとも吐水部４７９を備えていなくてもよい。
また、前述した各実施の形態が備える各要素は、技術的に可能な限りにおいて組み合わせることができ、これらを組み合わせたものも本発明の特徴を含む限り本発明の範囲に包含される。
【符号の説明】
【０１０４】
１０ 給水源、  ２０ 流路、  ２２ 分岐路、  １００ 衛生洗浄装置、  ２００ 便座、  ３００ 便蓋、  ３１０ 透過窓、  ４００ ケーシング、  ４０１ 電源回路、  ４０２ 入室検知センサ、  ４０３ 人体検知センサ、  ４０４ 着座検知センサ、  ４０５ 制御部、  ４０７ 排気口、  ４０８ 排出口、  ４０９ 凹設部、  ４２０ 水温センサ、  ４３１ 電磁弁、  ４４０ 熱交換器ユニット、  ４４１ 温水ヒータ、  ４５０ 電解槽ユニット、  ４７０ ノズルユニット、  ４７１ 流量切替弁、  ４７２ 流路切替弁、  ４７３ ノズル、  ４７４ 吐水口、  ４７４ａ 吐水部、  ４７５ 取付台、  ４７６ ノズルモータ、  ４７７ 伝動部材、  ４７８ ノズル洗浄室、  ４７９ 吐水部、  ５００ 操作部、  ５１０ 殺菌スイッチ、  ８００ 便器、  ８０１ ボウル
【図１】
2015068087.tif 000003
【図２】
2015068087.tif 000004
【図３】
2015068087.tif 000005
【図４】
2015068087.tif 000006
【図５】
2015068087.tif 000007
【図６】
2015068087.tif 000008
【図７】
2015068087.tif 000009
【図８】
2015068087.tif 000010